(57)【特許請求の範囲】
【請求項１】
四角筒形状であって、吸音材を具備する消音板と、消音板の各辺を連結するように取り付けた折り畳み機構とからなり、内部を通過する音を吸音材によって吸音する構造の消音器において、
消音器の４辺に取り付けた折り畳み機構の内の一対の対向する折り畳み機構は、消音器の外周面側の辺が折り曲げられるように外側に取り付けられ、
他方の対向する折り畳み機構は、消音器の内周面側の辺が折り曲げられるように内側に取り付けられ、
折り畳み機構を取り付けた辺を折り曲げることで消音板を折り畳むことを特徴とする折畳式消音器。
【請求項２】
請求項１に記載の折畳式消音器を複数用い、全体として直方体形状となるように組み立てて構成され、
折り畳み機構を取り付けた辺を折り曲げることで消音板を折り畳むことを特徴とする折畳式消音器。
【請求項３】
四角筒形状であって、一対の対向する面を吸音材を具備する消音板とし、もう一方の対向する面を板材とすることによって内部を通過する音を前記吸音材によって吸音する構造の消音器において、
一対の消音板の内の一方の消音板を他方の消音板側に向けて移動する移動手段を設けると共に、板材に設けた折り曲げ線を折り曲げることで、前記他方の消音板側に移動した一方の消音板の後面側に前記板材の一部を折り畳むように構成されていることを特徴とする折畳式消音器。
【請求項４】
開閉用レールに開閉自在に取り付けられる消音カーテンを具備し、
消音カーテンの表面に吸音部材が取り付けられ、
開閉用レールの部分に、開閉用レールと消音カーテン間の隙間からの音漏れを防止する側板を設置し、
この消音カーテンが開閉用レールに沿って張られた際にその内部に空気を流通するダクトを形成し、換気すると共に消音することを特徴とする開閉式消音器。
【請求項５】
前記消音カーテンは、表面に吸音部材を取り付けた多数の吸音板の側辺同士を折り曲げ自在に連結することで構成されていることを特徴とする請求項４記載の開閉式消音器。
【発明の詳細な説明】
【０００１】
【発明の属する技術分野】
本発明は、折畳式及び開閉式消音器に関するものである。
【０００２】
【従来の技術】
ポンプ機場等の機械設備においては、換気用のダクトから外部に出る騒音の対策が必要である。このため従来換気用ダクトとして、グラスウールからなる消音材を内張りした固定式の消音ダクトが建屋内に設置されていた。
【０００３】
そして設置された消音ダクトが各種部材の搬入出及び通行、運転、メンテナンス等の妨げにならないようにするため、建屋は消音ダクトの設置スペースを考慮して設計されていた。
【０００４】
しかしながら近年、建設費及び資材量の削減による建屋の小型化が要求されており、建屋内の消音ダクトの設置スペースを小さくする必要が生じていた。
【０００５】
【発明が解決しようとする課題】
本発明は上述の点に鑑みてなされたものでありその目的は、機械設備等を収納する建屋の小型化を図るのに好適な折畳式及び開閉式消音器を提供することにある。
【０００６】
【課題を解決するための手段】
機器周辺には機器の修理や点検等のための通路等のメンテナンススペースを確保する必要がある。このスペースは機器停止時以外立ち入らないスペースであり、通常運転時は空いているスペースであるが、そのスペースに機器等を設置しておくことはできない。一方消音器はその目的上、機器が稼動しているときしか必要ないものである。
【０００７】
そこで本発明においては、消音器を折畳式又は開閉式にすることによって、機器の運転時は消音器を使用し、停止時は消音器を折り畳んだり開いたりすることで広がったスペースを点検スペースとして使用できるようにした。
【０００８】
即ち上記問題点を解決するため本発明は、四角筒形状であって、吸音材を具備する消音板と、消音板の各辺を連結するように取り付けた折り畳み機構とからなり、内部を通過する音を吸音材によって吸音する構造の消音器において、消音器の４辺に取り付けた折り畳み機構の内の一対の対向する折り畳み機構は、消音器の外周面側の辺が折り曲げられるように外側に取り付けられ、他方の対向する折り畳み機構は、消音器の内周面側の辺が折り曲げられるように内側に取り付けられ、折り畳み機構を取り付けた辺を折り曲げることで消音板を折り畳むことを特徴とする。
【０００９】
また本発明は、前記折畳式消音器を複数用い、全体として直方体形状となるように組み立てて構成され、折り畳み機構を取り付けた辺を折り曲げることで消音板を折り畳むことを特徴とする。
【００１０】
また本発明は、四角筒形状であって、一対の対向する面を吸音材を具備する消音板とし、もう一方の対向する面を板材とすることによって内部を通過する音を前記吸音材によって吸音する構造の消音器において、一対の消音板の内の一方の消音板を他方の消音板側に向けて移動する移動手段を設けると共に、板材に設けた折り曲げ線を折り曲げることで、前記他方の消音板側に移動した一方の消音板の後面側に前記板材の一部を折り畳むように構成されていることを特徴とする。
【００１１】
また本発明にかかる開閉式消音器は、開閉用レールに開閉自在に取り付けられる消音カーテンを具備し、消音カーテンの表面に吸音部材が取り付けられ、開閉用レールの部分に、開閉用レールと消音カーテン間の隙間からの音漏れを防止する側板を設置し、この消音カーテンが開閉用レールに沿って張られた際にその内部に空気を流通するダクトを形成し、換気すると共に消音することを特徴とする。
【００１２】
また本発明は、前記消音カーテンが、表面に吸音部材を取り付けた多数の吸音板の側辺同士を折り曲げ自在に連結することで構成されていることを特徴とする。
【００１３】
【発明の実施の形態】
以下、本発明の実施の形態を図面を参照して詳細に説明する。
〔折畳式消音器〕
図１は折畳式消音器（単体）１０の一実施形態を示す斜視図である。同図に示す折畳式消音器１０は、四角筒形状であってその内部に吸音材を取り付けることで内部を通過する音を前記吸音材によって吸音するセル形消音器構造に構成されている。そしてこの折畳式消音器１０は折り畳み機構を具備している。即ち折り畳み機構は、折畳式消音器１０の各辺の部分を折り曲げ線１３として４つに分割して、各折り曲げ線１３の部分を蝶番１７によって連結してなるリンク機構によって構成されている。
【００１４】
各消音板１１−１，２，３，４は、例えばその外側面を金属板（鉄板）とし、その内側面（開口部１９側の面）を多数の穴をあけたパンチングメタル板とし、内部にグラスウールなどの吸音材を収納することで、内面側の音を吸収するように構成されている。
【００１５】
蝶番１７は、消音板１１−２，３間と消音板１１−１，４間については外周面側の辺ａが折り曲げられるように、また消音板１１−１，２間と消音板１１−３，４間については内周面側の辺ｂが折り曲げられるように取り付けられる。図１で折り曲げられる辺に黒丸を付している（以下の各図においても同様）。
【００１６】
以上のように構成した折畳式消音器１０は、各折り曲げ線１３の辺ａ，ｂの部分を折り曲げることで図２に示すように開口部１９を潰して平板状に折り畳むことができる。
【００１７】
図３は前記折畳式消音器１０を複数（４組）用いて構成した折畳式消音器１０´を示す正面図（図１の矢印Ａ方向から見た図）である。即ちこの折畳式消音器１０´は、図１に示す折畳式消音器１０と同じ構造の４つの折畳式消音器１０−１，２，３，４を全体として直方体形状となるように組み立てて構成されている。ここで説明の都合上、各消音板１１の符号を図示のように１１−１〜１６と付す。各折畳式消音器１０−１〜４は、消音板１１−２，１１−８間と、消音板１１−３，１１−９間と、消音板１１−７，１１−１３間と、消音板１１−１０，１１−１６間とがそれぞれ図示しない固定手段によって固定されている。そして消音板１１−１５を固定して各折畳式消音器１０−１，２，３，４をそれぞれの開口部１９を潰すように折り畳めば、図４に示すように略平板状に折り畳むことができる。
【００１８】
図５は図３に示す折畳式消音器１０´をポンプ機場に用いた一使用例を示す要部概略斜視図である。このポンプ機場は、地階にポンプＰを設置すると共に一階部分に減速機８３と原動機（例えばガスタービン）８５を設置してこれらを連結し、原動機８５を運転することでポンプＰを駆動して地階の下に設置した水槽から吐出管８１を通して所定の場所に揚水を行なうように構成されている。
【００１９】
そして一階部分の建屋の壁に設けた開口８９から室内に空気を供給するように給気ダクト８７が取り付けられ、給気ダクト８７の室内側の先端に前記図３に示す折畳式消音器１０´が２組縦列に取り付けられている。折畳式消音器１０´の近傍の壁には各種機材の搬入出口９１が設けられ、その室内側の点線で示す床部分が通行路９３となっている。通行路９３の上部は各種機材や人が通行するので、開放して通常他の部材は設置しないようにするが、このポンプ機場では通行路９３の上部に前記折畳式消音器１０´が張り出すように設置されている。
【００２０】
そして通常は図５に示す状態のままポンプＰが運転されると同時に運転時の建屋内の空気を換気するために、給気ダクト８７及び折畳式消音器１０´を介して外気を建屋内に導入する。その際建屋内の騒音が外部に漏れようとするが、騒音は折畳式消音器１０´の部分で充分に減音される。
【００２１】
一方ポンプＰ等の機器の修理や点検等のために通行路９３において各種部材の搬入出及び人の通行等を行なう場合は、折畳式消音器１０´を壁側に折り畳む。即ち通常は図６（ａ）に示すように通行路９３内に張り出している折畳式消音器１０´を図６（ｂ）に示すように折り畳むことでその張り出し寸法を小さくし、これによって通行路９３上から折畳式消音器１０´を排除できる。なおポンプＰ等の機器の修理や点検時は、ポンプ運転は停止して騒音は発生していないので、折畳式消音器１０´を折り畳んでも何ら問題ない。また給気ダクト８７は折り畳めないが、通行路９３のかなり上方にあるので問題ない。
【００２２】
以上のように折畳式消音器１０´を用いれば、これを通行路９３上に張り出すように設置してもよいので、建屋の小型化が図れる。
【００２３】
図７は他の実施形態にかかる折畳式消音器３０を示す斜視図である。同図に示す折畳式消音器３０は四角筒形状であって、一対の対向する左右の面を消音板３１−１，２とし、もう一方の対向する上下の面を板材３３，３５とすることでスプリッタ形消音器構造に構成されている。そしてこの折畳式消音器３０は折り畳み機構を具備している。即ち折り畳み機構は、左右の消音板３１−１，２の内の一方の消音板３１−２を他方の消音板３１−１方向に向けて平行移動するように消音板３１−２を図示しないスライド機構（移動手段）によって矢印Ｂ方向にスライド自在に構成し、さらに上下の板材３３，３５を長手方向（空気流通方向）に向けてそれぞれ２分割（板片３３−１，２，３５−１，２）した折り曲げ線ｃ，ｄをそれぞれ蝶番３７によって折り曲げ自在に連結して構成されている。
【００２４】
各消音板３１−１，２は上記実施形態と同様に、例えばその外側面を金属板（鉄板）とし、その内側面を多数の穴をあけたパンチングメタル板とし、内部にグラスウールなどの吸音材を収納することで、内側面側の音を吸収するように構成されている。スライド機構としては例えば消音板３１−２の底面にころを取り付けてスライド自在となるようにする。
【００２５】
以上のように構成した折畳式消音器３０によって、開口部３９内を通過する騒音は左右の消音板３１−１，２が吸収することで減音する。一方この折畳式消音器３０を折り畳むには、まず図８に示すように一方の消音板３１−２を他方の消音板３１−１に向けてスライド移動させて開口部３９を潰す。次に上下の板材３３，３５の消音板３１−２の後面側に位置する板片３３−２，３５−２を図９に示すように折り畳む。この折畳式消音器３０も建屋の他の用途に使用するスペース上に張り出すように設置することができるので、建屋の小型化が図れる。
【００２６】
〔開閉式消音器〕
図１０は開閉式消音器４０の一実施形態を示す斜視図である。同図に示す開閉式消音器４０は、表面に下記する吸音部材を取り付けてなる消音カーテン４１を、上部の側板６１の内部に設置した開閉用レール（カーテンレール）に沿って張ることによってその内部に壁７０に設けた開口７１と開口４２間をつなぐダクトを形成するように構成されている。
【００２７】
ここで図１１は消音カーテン４１の要部拡大側断面図（図１０のＣ−Ｃ部分断面拡大図）である。同図に示すように消音カーテン４１は、支持板４９（４９−１，２）の表面に吸音部材４５を取り付けてなる多数の吸音板４３の側辺同士（具体的には支持板４９の側辺同士）を連結手段（節）４７によって折り曲げ自在に連結することで構成されている。各吸音部材４５はパンチングメタル板等からなるカバー内にグラスウール等からなる吸音材を収納して構成されている。また支持板４９には２種類、即ち長尺平板状の支持板４９−１と、長尺で横断面「コ」字状の支持板４９−２とがある。支持板４９−２はその凹部内に吸音部材４５を収納している。そして２つの支持板４９−１，４９−１と１つの支持板４９−２を一組として吸音部材４５が同一面側を向くように必要な長さ分だけこれら支持板４９−１，２を連結手段４７で連結して消音カーテン４１が構成される。
【００２８】
そして消音カーテン４１は図１０に示すようにその上端辺が、建屋の壁７０の開口７１を設けた部分の上に設置した天井パネル６０の外周下面に設けたＬ字状の側板６１の内部に設置した図示しない開閉用レールに取り付けられる。開閉用レールに取り付けられるのは、図１１に示す連結手段４７の内、横断面「コ」字状の支持板４９−２両端の連結手段４７の部分の上端部のみである。即ち平板状の支持板４９−１同士を連結している連結手段４７の部分は開閉用レールに取り付けない。側板６１を設けたのは開閉用レールと消音カーテン４１間の隙間から音が漏れるのを極力防止するためである。
【００２９】
一方壁７０の消音カーテン４１によって覆われる部分の全面には、平板状の吸音部材７３（図１２参照）（グラスウール等の吸音材をパンチングメタル板等で覆ったもの）が取り付けられている。
【００３０】
そして図１０に示すように消音カーテン４１を開閉用レールに沿って張ると、その内部に開口７１と消音カーテン４１によって形成される開口４２間をつなぐダクトが形成される。そこでこのダクトを介して空気の換気を行うと同時に、外部に出ようとする騒音を消音カーテン４１に設けた吸音部材４５と壁７０に設けた吸音部材７３とが吸収し、減音する。この実施形態にかかる開閉式消音器４０は消音カーテン４１と壁７０に設けた左右の吸音部材４５，７３によって消音を行う消音器であるが、天井パネル６０の下面や床面に吸音部材を取り付けて消音効果を向上させることも可能である。
【００３１】
一方この開閉式消音器４０を開く場合は、図１２に示すように開閉用レールに沿って消音カーテン４１を開けばよい。このとき消音カーテン４１は図１３に示すように、連結手段４７の部分で折れ曲がることによって３つの吸音部材４５毎にまとめられて折り畳まれ、その長さは張ったときの約１／３に縮小する。
【００３２】
そしてこの開閉式消音器４０は、点検等の機器停止時にしか使用しないスペース上に張り出すように設置することができ、建屋の小型化とコストダウンが図れる。
【００３３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば消音カーテン４１の折り畳み構造は他の種々の構造のものがあり、要は表面に吸音部材を取り付けた開閉できる（折り畳める）消音カーテンであればどのような構造のものであっても良い。また図１０に示す開閉式消音器４０においては消音カーテン４１の側面部分に開口４２を設けたが、その代わりに例えば図１４に示すように消音カーテン４１全体の長さを短くすることによって消音カーテン４１の下辺下側に開口４２を形成し、この開口４２と壁７０に設けた開口７１間をつなぐダクトを形成して換気すると共に消音するように構成しても良い。このとき図１０に示す側面の開口４２部分には消音カーテン４１を設置してこれをなくしている。
【００３４】
【発明の効果】
以上詳細に説明したように本発明によれば、建屋内のスペースを有効利用でき、建屋の小型化、建築費の削減が可能になる。また消音器の運搬時にその容量を小さくすることができる。
【図面の簡単な説明】
【図１】折畳式消音器（単体）１０の一実施形態を示す斜視図である。
【図２】折畳式消音器１０を折り畳んだ状態を示す斜視図である。
【図３】折畳式消音器１０を複数用いて構成した折畳式消音器１０´を示す正面図である。
【図４】折畳式消音器１０´を折り畳んだ状態を示す斜視図である。
【図５】折畳式消音器１０´をポンプ機場に用いた一使用例を示す要部概略斜視図である。
【図６】図５に示すポンプ機場に用いた折畳式消音器１０´の使用時と折り畳み時の状態を示す図である。
【図７】折畳式消音器３０を示す斜視図である。
【図８】消音器３０の折り畳み方法を示す斜視図である。
【図９】消音器３０の折り畳み方法を示す斜視図である。
【図１０】開閉式消音器４０を示す斜視図である。
【図１１】消音カーテン４１の要部拡大側断面図（図１０のＣ−Ｃ部分断面拡大図）である。
【図１２】消音カーテン４１を開いたときの開閉式消音器４０を示す斜視図である。
【図１３】開いた消音カーテン４１の要部拡大側断面図である。
【図１４】消音カーテン４１を開いたときの他の開閉式消音器４０´を示す斜視図である。
【符号の説明】
１０  折畳式消音器
１１−１，２，３，４  消音板
１３  折り曲げ線
１７  蝶番
１９  開口部
１０´  折畳式消音器
１０−１，２，３，４  折畳式消音器
１１−１〜１６  消音板
Ｐ  ポンプ
８１  吐出管
８３  減速機
８５  原動機
８７  給気ダクト
８９  開口
９１  搬入出口
９３  通行路
３０  折畳式消音器
３１−１，２  消音板
３３，３５  板材
ｃ，ｄ  折り曲げ線
３７  蝶番
３９  開口部
４０  開閉式消音器
４１  消音カーテン
４２  開口
４３  吸音板
４５  吸音部材
４７  連結手段
４９（４９−１，２）  支持板
６０  天井パネル
６１  側板
７０  壁
７１  開口
７３  吸音部材
【図１】
0003916903.tif 000002
【図２】
0003916903.tif 000003
【図３】
0003916903.tif 000004
【図４】
0003916903.tif 000005
【図５】
0003916903.tif 000006
【図６】
0003916903.tif 000007
【図７】
0003916903.tif 000008
【図８】
0003916903.tif 000009
【図９】
0003916903.tif 000010
【図１０】
0003916903.tif 000011
【図１１】
0003916903.tif 000012
【図１２】
0003916903.tif 000013
【図１３】
0003916903.tif 000014
【図１４】
0003916903.tif 000015